(57)【特許請求の範囲】
【請求項１】
側面に端子を有する蛍光ランプの該端子を挿入し電気的接続を行うソケット部と、
該ソケット部を取付面に取り付けるための取付板と、
少なくとも前記蛍光ランプの長さ方向、及び前記蛍光ランプの長さ方向と直角な方向の二方向について、前記ソケット部が前記取付板に対して傾き可能なように、前記取付板に対して前記ソケット部を支持する揺動支持部材と、
を備えた蛍光ランプ取付器具。
【請求項２】
前記揺動支持部材は、前記ソケット部と前記取付板との間に設けられたコイルバネと、前記取付板に固定され、前記コイルバネを支持する支持部材とを備えていることを特徴とする請求項１に記載の蛍光ランプ取付器具。
【請求項３】
請求項１又は２に記載の蛍光ランプ取付器具において、前記蛍光ランプを前記ソケット部に取り付けた状態を保持するための保持部材を備えた蛍光ランプ取付器具。
【請求項４】
側面に端子を有する蛍光ランプと、請求項１から請求項３のいずれか１項に記載の蛍光ランプ取付器具と、該蛍光ランプ取付器具を取り付ける支持体と、を備えた照明装置。
【請求項５】
側面に端子を有する蛍光ランプの該端子を挿入し電気的接続を行うソケット部を、該ソケット部の取付面に対して、少なくとも前記蛍光ランプの長さ方向、及び前記蛍光ランプの長さ方向と直角な方向の二方向について、傾き可能なように支持するソケットの支持方法。
【発明の詳細な説明】
【０００１】
【発明の属する技術分野】
本発明は蛍光ランプ取付器具、照明装置、及びソケットの支持方法に係わり、特に側面に端子を有する蛍光ランプの蛍光ランプ取付器具、照明装置、及びソケットの支持方法に関する。
【０００２】
【従来の技術】
蛍光ランプは室内照明、屋外照明、陳列棚照明等に広く用いられており、その取付箇所も多様であり、例えば室内照明において、蛍光ランプを蛍光ランプ取付器具により直接天井に取付けて照明を行う場合、蛍光ランプを蛍光ランプ取付器具により壁に取付け、天井に光を照射して間接的に照明を行う場合等種々の取付形態をとる。
【０００３】
一方、蛍光ランプの中に、蛍光ランプを直列接続する場合等の用途から蛍光ランプのソケット部等の非発光部を極力小さくするために、端子を両端面でなく、側面から取り出し、ソケット部を蛍光ランプの側面側に配置する照明装置がある。
【０００４】
【発明が解決しようとする課題】
ところで、蛍光ランプを蛍光ランプ取付器具により取付面（例えば天井）に取付けるときに、取付面がソリや歪み等によって平坦でない場合がある。この場合には取付面に取付られた蛍光ランプ取付器具も蛍光ランプに対して傾いて取付られることになり、端子を側面から取り出す方式の蛍光ランプを蛍光ランプ取付器具に取付けようとすると接続が浅くなる場合がある。図１６（ａ），（ｂ）に蛍光ランプの一方の端子が正常に挿入され、他方の端子が正常に挿入されないときの取付状態を示す。図１６（ａ）は一方の取付面が蛍光ランプの長さ方向に対して傾いた場合の取付状態、図１６（ｂ）は一方の取付面が蛍光ランプの長さ方向と直角な方向に対して傾いた場合の取付状態を示している。図１６（ａ），（ｂ）において、６０は端子を側面から取り出す方式の蛍光ランプ、６１は蛍光ランプ取付器具である。なお、図１６（ａ），（ｂ）では一方の取付面が傾いている場合を示しているが、両方の取付面が蛍光ランプに対して傾いている場合もある。
【０００５】
また、図１７に示すように、蛍光ランプ取付器具６１は支持体６２（光反射板が用いられる場合もある。）に取付られ、この支持体６２を取付面に取付ける場合もあるが、支持体６２が取付面の影響を受けて反ったり、ねじれを生じたりするので同様な問題を生ずる。
【０００６】
【課題を解決するための手段】
本発明の蛍光ランプ取付器具は、側面に端子を有する蛍光ランプの該端子を挿入し電気的接続を行うソケット部と、
該ソケット部を取付面に取り付けるための取付板と、
少なくとも前記蛍光ランプの長さ方向、及び前記蛍光ランプの長さ方向と直角な方向の二方向について、前記ソケット部が前記取付板に対して傾き可能なように、前記取付板に対して前記ソケット部を支持する揺動支持部材と、を備えたものである。
【０００７】
前記揺動支持部材としては、前記ソケット部と前記取付板との間に設けられたコイルバネと、該コイルバネを支持するねじ等の支持部材とを備えたもの（例えば、後述する実施例１）や、前記ソケット部を取り付ける揺動板と、前記揺動板と前記取付板との間に設けられたコイルバネとを備え、前記揺動板と前記取付板とが前記揺動板を揺動可能とする連結部を有するもの（例えば後述する実施例２）や、ソケット部に取付られた球体ボールと球体ボールを揺動可能に支持する支持体とを備えたもの（例えば後述する実施例３）、前記ソケット部と前記取付板との間に設けられた板バネ（例えば後述する実施例４）等を用いることができる。
【０００８】
本発明の照明器具は、側面に端子を有する蛍光ランプと、上記本発明の蛍光ランプ取付器具と、該蛍光ランプ取付器具を取り付ける支持体と、を備えたものである。
【０００９】
本発明のソケットの支持方法は、側面に端子を有する蛍光ランプの該端子を挿入し電気的接続を行うソケット部を、該ソケット部の取付面に対して、少なくとも前記蛍光ランプの長さ方向、及び前記蛍光ランプの長さ方向と直角な方向の二方向について、前記ソケット部が前記取付板に対して傾き可能なように支持するものである。
【００１０】
ここで、揺動とは、少なくとも蛍光ランプの長さ方向、及び蛍光ランプの長さ方向と直角な方向の二方向について、ソケット部が取付板に対して傾くことが可能な動作をいう。
【００１１】
【実施例】
以下、本発明の実施例について図面を用いて詳細に説明する。
（実施例１）
図１は本発明の第１実施例の蛍光ランプ取付器具を示す斜視図である。図２は図１の蛍光ランプ取付器具の裏面側から見た分解斜視図である。図３は取付面が蛍光ランプの長さ方向に対して傾いた場合の取付状態を示す断面図、図４は取付面が蛍光ランプの長さ方向と直角な方向に対して傾いた場合の取付状態を示す断面図である。
【００１２】
図１〜図４において、１はソケット部、２は側面側に端子を有する蛍光ランプの端子を挿入する開口部、３は開口部２内に設けられた不図示の接続金具と接続される配線の取り出し口、４は取付板、５は取付板４を取付面にネジ止めするための開口部である。
【００１３】
ソケット部１は取付板４に、揺動支持部材となるコイルバネ６、ネジ７、ネジ８1，８2により揺動可能に取付られている。取付板４にはネジ８1，８2の径より大きいがネジ頭より小さい直径の開口部９1，９2が設けられており、ネジ８1，８2は取付板４に対して可動である一方、ネジ８1，８2はソケット部１に固定されている。平板１３はソケット部１の底面に取付られ、開口部によりコイルバネ６の一方の端部を支持し、コイルバネ６の位置を固定している。また、ネジ７は取付板４にネジ止めされ、コイルバネ６を支えている。従って、図３又は図４に示すように、取付板４を取り付けた取付面が傾斜していても、ソケット部１は挿入された蛍光ランプに密着するように支持される。ネジ８1，８2は図４に示すように取付面が傾斜した場合にネジ頭がストッパとなってソケット部１を支える役目、あるいは蛍光ランプを取りはずすときにソケット部１を支持する役目を担う。
【００１４】
ソケット部１内の接続金具に端子を挿入するだけでは、蛍光ランプとソケット部とを保持することが困難な場合には、図５に示すように蛍光ランプをソケット部に取り付けた状態を保持補強するための保持部材１１を設ける。保持部材１１は図６に示すように蛍光ランプ１２を側部から押さえ保持する。なお、保持部材１１は後述する各実施例においても用いることができる。
（実施例２）
図７は本発明の第２実施例の蛍光ランプ取付器具の一部の分解斜視図である。図８は揺動板と取付板の組み合わせ状態を示す図である。図９（ａ），（ｂ）は揺動板にソケット部を載置した取付器具の動作を説明するための図である。図７及び図８ではソケット部は省略されている。
【００１５】
図７〜図９において、２１は取付板であり、雌ネジが切られた開口部を有する突起部２２1，２２2、コイルバネ２４を支持する突起部２３を備えている。２５は揺動板であり、突起部２２1，２２2の開口部よりも大きい開口部を有する突起部２６1，２６2を備えている。突起部２６1，２６2は突起部２２1，２２2の内側に配置される。揺動板２５は取付板２１に対して、突起部２２1，２２2と突起部２６1，２６2とを突起部２２1，２２2の外側からネジ止めすることで図９（ｂ）に示すようにネジ２８に対して揺動（ここでは回動）可能となっている。図８はネジが挿入されない状態での揺動板と取付板の組み合わせ状態を示している。
【００１６】
また、図８に示すように、突起部２６1，２６2の開口部は突起部２２1，２２2の開口部よりも大きく、ネジ２８の径よりも大きいので、図９（ａ）に示すように、揺動板２５は取付板２１に対して揺動可能となっている。コイルバネ２４は突起部２３に挿入され、揺動板２５の開口部２７を介して、図７において不図示のソケット部の裏面に当接される。ソケット部１は揺動板２５に載置され、ネジ止め等により固定される。
（実施例３）
図１０は本発明の第３実施例の蛍光ランプ取付器具の裏面側から見た分解斜視図である。図１１は図１０の蛍光ランプ取付器具を組み立てた状態での断面図である。
【００１７】
図１０及び図１１に示すように、本実施例は、球体ボール３１の径よりも小さい円形の開口部３３を有する覆い部材３０の開口部３３を介して、球体のボール３１を接着剤やネジ等によりソケット部１に取付けるとともに、覆い部材３０を取付板３２にネジ止めすることで、ソケット部１を取付板４に対して揺動可能としたものである。取付板３２には球体ボールを部分的に挿入して保持する開口部３４が設けられている。
【００１８】
なお、覆い部材３０は必ずしも設ける必要はなく、実施例１と同様に図１２に示すように、取付板３５にネジの径より大きいがネジ頭より小さい直径の開口部を設け、ネジを取付板３５に対して可動とする一方、ネジをソケット部１に固定することで、ソケット部１を取付板３５に対して揺動可能とすることができる。
（実施例４）
図１３は本発明の第４実施例の蛍光ランプ取付器具の裏面側から見た分解斜視図である。図１４は取付器具に用いる板バネを示す斜視図である。
【００１９】
本実施例はソケット部１と取付板４１との間に揺動支持部材として図１４に示すような形状の板バネ４０を設けたものである。板バネは「コ」の字状に加工された凹部を有し、図１４のＸ方向に揺動可能となっている。さらに板バネ４０の羽の部分に４箇所の切れ込みを設けることで図１４のＹ方向にも揺動可能となっている。板バネ４０の凹部は取付板４１にネジ止めされ、板バネ４０の羽の部分はソケット部１にネジ止めされている。
【００２０】
以上、本発明の実施例について説明したが、揺動支持部材としては種々の構成例が考えられ、取付板に対してソケット部が揺動可能なものであれば他の構成をとってもよい。例えば、開口部５に止めるネジを完全に締め付けるのではなく、遊びをもたせるようにゆるく締め付ければ（ルーズに固定すれば）、ソケット部が揺動する。また揺動支持部材として、ゴム，スポンジ等の弾性力を有する材質のシートを用い、ソケット部と取付板の間に接着剤等で貼り合わせてもよい。なお、弾力性のあるシートを用いた場合に蛍光ランプの抜き差しで強度的な問題が生ずる場合には実施例１に示すように、取付板が揺動可能なようにネジ止めを行えば、蛍光ランプの抜き差し時にかかる圧力をネジで緩和することができる。
【００２１】
次に本発明の蛍光ランプ取付器具を用いた照明装置の実施例を図１５に示す。
【００２２】
図１５において、５１は側面に端子を有する蛍光ランプ、５２は安定器等を覆うとともに蛍光ランプ５１からの光を反射するカバー兼反射板、５３は側部を覆う側板、５４は蛍光ランプ５１の端子が差し込まれるソケット部、５５はソケット部５４を支持板に取付けるための取付板、５６は蛍光ランプ５１を駆動するための安定器、５７は支持体、である。なお、カバー兼反射板５２は蛍光ランプの側部を覆うように構成して反射効率を上げるようにしてもよく、また安定器等を蛍光ランプの直下ではなく側部に併設するように構成してもよい。
【００２３】
【発明の効果】
以上説明したように、本発明によれば、取付面がソリや歪み等によって平坦でない場合であっても、蛍光ランプ取付器具のソケット部が揺動可能なのでソケット部と蛍光ランプとの接続をより確実に行うことができる。また、振動等に対する接続の信頼性も向上させることができる。
【図面の簡単な説明】
【図１】本発明の第１実施例の蛍光ランプ取付器具を示す斜視図である。
【図２】図１の蛍光ランプ取付器具の裏面側から見た分解斜視図である。
【図３】取付面が蛍光ランプの長さ方向に対して傾いた場合の取付状態を示す断面図である。
【図４】取付面が蛍光ランプの長さ方向と直角な方向に対して傾いた場合の取付状態を示す断面図である。
【図５】蛍光ランプとソケットとの接合を補強する保持部材を設けた場合の構成を示す斜視図である。
【図６】蛍光ランプとソケットとの接合を補強する保持部材を設けた場合の構成を示す断面図である。
【図７】本発明の第２実施例の蛍光ランプ取付器具の一部の分解斜視図である。
【図８】揺動板と取付板の組み合わせ状態を示す図である。
【図９】（ａ），（ｂ）は揺動板にソケット部を載置した取付器具の動作を説明するための図である。
【図１０】本発明の第３実施例の蛍光ランプ取付器具の裏面側から見た分解斜視図である。
【図１１】図１０の蛍光ランプ取付器具を組み立てた状態での断面図である。
【図１２】本発明の第３実施例の変形例の蛍光ランプ取付器具の裏面側から見た分解斜視図である。
【図１３】本発明の第４実施例の蛍光ランプ取付器具の裏面側から見た分解斜視図である。
【図１４】取付器具に用いる板バネを示す斜視図である。
【図１５】本発明の蛍光ランプ取付器具を用いた照明装置の実施例を示す図である。
【図１６】従来の蛍光ランプ取付器具及び照明装置の取り付け状態を説明するための図である。
【図１７】従来の蛍光ランプ取付器具及び照明装置の取り付け状態を説明するための図である。
【符号の説明】
１  ソケット部
２  蛍光ランプの端子を挿入する開口部
３  配線の取り出し口
４  取付板
５  開口部
６  コイルバネ
７，８1，８2  ネジ
９1，９2，１０  開口部
１１  保持部材
１２  蛍光ランプ
２１  取付板
２２1，２２2  突起部
２３，２６1，２６2  突起部
２４  コイルバネ
２５  揺動板
２７  開口部
２８  ネジ
３０  覆い部材
３１  球体ボール
３２  取付板
３３，３４  開口部
３５  取付板
４０  板バネ
４１  取付板
５１  蛍光ランプ
５２  ソケット部
５３  取付板
５４  支持体
５５  取付板
５６  安定器
５７  支持体
【図１】
0004290302.tif 000002
【図２】
0004290302.tif 000003
【図３】
0004290302.tif 000004
【図４】
0004290302.tif 000005
【図５】
0004290302.tif 000006
【図６】
0004290302.tif 000007
【図７】
0004290302.tif 000008
【図８】
0004290302.tif 000009
【図９】
0004290302.tif 000010
【図１０】
0004290302.tif 000011
【図１１】
0004290302.tif 000012
【図１２】
0004290302.tif 000013
【図１３】
0004290302.tif 000014
【図１４】
0004290302.tif 000015
【図１５】
0004290302.tif 000016
【図１６】
0004290302.tif 000017
【図１７】
0004290302.tif 000018